(57)【要約】【課題】  プレゼンテーション全体の文脈に関連する情報を自動検索して利用者に表示するとともに、各検索結果とプレゼンテーションの個別パートとの関連性を表示することにより、プレゼンテーション全体との関連度の低い情報の検索を減らす情報推薦装置及び情報推薦システムを提供することを目的とする。【解決手段】  時系列で取得される複数の説明情報を保持するスライド情報保持部１１と、スライド情報保持部１１で保持された複数の説明情報に基づいて複数の推薦情報を検索する推薦ドキュメント検索部１３と、推薦ドキュメント検索部１３で検索された複数の推薦情報と複数の説明情報との関連度を計算する関連度計算部１５ａと、関連度計算部１５ａの計算結果に基づいて複数の推薦情報を表示する表示装置１ｃとを具備し、表示装置１ｃは、複数の説明情報に対する選択情報に基づいて、選択された説明情報に関連する推薦情報を表示することを特徴とする。【選択図】  図１
2008269085.tif 000002
【特許請求の範囲】
【請求項１】
時系列で取得される複数の説明情報を保持する保持手段と、
前記保持手段で保持された複数の説明情報に基づいて複数の推薦情報を検索する検索手段と、
前記検索手段で検索された複数の推薦情報と前記複数の説明情報との関連度を計算する計算手段と、
前記計算手段の計算結果に基づいて前記複数の推薦情報を表示する表示手段とを具備し、
前記表示手段は、前記複数の説明情報に対する選択情報に基づいて、選択された説明情報に関連する推薦情報を表示することを特徴とする情報推薦装置。
【請求項２】
前記表示手段は、前記複数の推薦情報に対する選択情報に基づいて、選択された推薦情報に関連する説明情報を表示することを特徴とする請求項１記載の情報推薦装置。
【請求項３】
前記複数の説明情報は、複数のスライド情報であることを特徴とする請求項１記載の情報推薦装置。
【請求項４】
前記表示手段は、前記複数の説明情報及び複数の推薦情報を表示画面上に表示し、表示された複数の説明情報に対する選択結果に基づいて、関連する推薦情報を強調表示することを特徴とする請求項１記載の情報推薦装置。
【請求項５】
前記表示手段は、前記複数の説明情報及び複数の推薦情報を表示画面上に表示し、表示された複数の推薦情報に対する選択結果に基づいて、関連する説明情報を強調表示することを特徴とする請求項２記載の情報推薦装置。
【請求項６】
前記表示手段は、前記複数の説明情報を表示画面上の第１の領域にサムネイル画像として表示すると共に、前記複数の推薦情報を表示画面上の第２の領域にサムネイル画像として表示することを特徴とする請求項１、請求項２、請求項４、請求項５のいずれかに記載の情報推薦装置。
【請求項７】
逐次表示される説明情報を時系列に取得する取得手段と、
前記取得手段で取得された複数の説明情報を保持する保持手段と、
前記保持手段で保持された複数の説明情報に基づいて複数の情報推薦を検索する検索手段と、
前記検索手段で検索された複数の推薦情報と前記複数の説明情報との関連度を計算する計算手段と、
前記計算手段の計算結果に基づいて前記複数の推薦情報を表示する表示手段とを具備し、
前記表示手段は、前記複数の説明情報に対する選択情報に基づいて、選択された説明情報に関連する推薦情報を表示することを特徴とする情報推薦システム。
【請求項８】
前記表示手段は、前記複数の推薦情報に対する選択情報に基づいて、選択された推薦情報に関連する説明情報を表示することを特徴とする請求項７記載の情報推薦システム。
【請求項９】
前記取得手段は、前記説明情報を画像フレームとして取得し、前後の画像フレームで変化のある画像フレームを説明情報として取得することを特徴とする請求項７記載の情報推薦システム。
【発明の詳細な説明】
【技術分野】
【０００１】
本発明は、情報推薦装置に関し、特に会議等のプレゼンテーション（説明）における情報推薦装置及び情報推薦システムに関する。
【背景技術】
【０００２】
プレゼンテーションの内容理解のために、表示されたスライドを元に、そのスライドに関連する関連情報を検索するシステムがある。特許文献１に開示される電子会議システムでは、電子会議システムによるプレゼンテーションにおいて、文章の不明語等によるプレゼンテーション内容の理解不足を解消するために、利用者が指示した不明語に対しデータベース内の検索を行い、対応した説明文を手元端末へ表示する。
【０００３】
特許文献２に示される会議記録システムでは、会議に必要な情報の入手のために、利用者の指示に従ってもしくは自動的にドキュメントの表示を行うものであり、その中には、プレゼンテーションのスライドから自動的に抽出したテキストから生成された検索式によってドキュメントの検索を行う機能を含んでいる。
【０００４】
また、関連情報の自動検索・表示技術としては、文章執筆中の内容に関連する情報を自動的に検索し、利用者に表示するシステムがある。特許文献３の文書検索・利用方法では、利用者の端末操作系列に基づいて文書を検索し、文書表示ウィンドウとは別ウィンドウに一覧表示を行う。
【特許文献１】特開２００３−１６０８８号
【特許文献２】特開２００１−２５６３３５号
【特許文献３】特開平１０−２５４８９２号
【発明の開示】
【発明が解決しようとする課題】
【０００５】
ところで、特許文献１に開示される電子会議システムでは、利用者が指示した不明語を元に検索が行われることから、プレゼンテーション全体の文脈とは関係のない情報も検索され、必ずしもプレゼンテーション全体と関連度の高い情報が得られるものではない。
【０００６】
また、特許文献２に開示される会議記録システムでは、プレゼンテーション全体を考慮した検索式の生成を行うことが可能であるが、検索結果と個別の情報との関連が判別できないため、プレゼンテーションの特定部分に興味を持つ利用者には、検索結果のうち自身の望む情報がどれに当たるのか判別しづらいという問題がある。
【０００７】
さらに、特許文献３に開示される文献検索・利用方法では、検索結果の情報は検索式とともに一覧表示されるのみで、検索結果の対応する該当箇所がどこであるのか分からないという問題がある。
【０００８】
本発明はこのような事情に鑑みてなされたものであり、プレゼンテーション全体の文脈に関連する情報を自動検索して利用者に表示するとともに、各検索結果とプレゼンテーションの個別パートとの関連性を表示することにより、プレゼンテーション全体との関連度の低い情報の検索を減らす情報推薦装置及び情報推薦システムを提供することを目的とする。
【課題を解決するための手段】
【０００９】
前記課題を解決するために、本発明の第１の態様の情報推薦装置は、時系列で取得される複数の説明情報を保持する保持手段と、前記保持手段で保持された複数の説明情報に基づいて複数の推薦情報を検索する検索手段と、前記検索手段で検索された複数の推薦情報と前記複数の説明情報との関連度を計算する計算手段と、前記計算手段の計算結果に基づいて前記複数の推薦情報を表示する表示手段とを具備し、前記表示手段は、前記複数の説明情報に対する選択情報に基づいて、選択された説明情報に関連する推薦情報を表示することを特徴とするものである。
【００１０】
本発明の第２の態様の情報推薦装置は、第１の態様の表示手段が、前記複数の推薦情報に対する選択情報に基づいて、選択された推薦情報に関連する説明情報を表示することを特徴とするものである。
【００１１】
本発明の第３の態様の情報推薦装置は、第１の態様において、前記複数の説明情報は複数のスライド情報であることを特徴とするものである。
【００１２】
本発明の第４の態様の情報推薦装置は、第１の態様の表示手段が、前記複数の説明情報及び複数の推薦情報を表示画面上に表示し、表示された複数の説明情報に対する選択結果に基づいて、関連する推薦情報を強調表示することを特徴とするものである。
【００１３】
本発明の第５の態様の情報推薦装置は、第２の態様の前記複数の説明情報及び複数の推薦情報を表示画面上に表示し、表示された複数の推薦情報に対する選択結果に基づいて、関連する説明情報を強調表示することを特徴とするものである。
【００１４】
本発明の第６の態様の情報推薦装置は、第１の態様、第２の態様、第４の態様、第５の態様のいずれかの前記表示手段が、前記複数の説明情報を表示画面上の第１の領域にサムネイル画像として表示すると共に、前記複数の推薦情報を表示画面上の第２の領域にサムネイル画像として表示することを特徴とするものである。
【００１５】
本発明の第７の態様の情報推薦システムは、逐次表示される説明情報を時系列に取得する取得手段と、前記取得手段で取得された複数の説明情報を保持する保持手段と、前記保持手段で保持された複数の説明情報に基づいて複数の情報推薦を検索する検索手段と、前記検索手段で検索された複数の推薦情報と前記複数の説明情報との関連度を計算する計算手段と、前記計算手段の計算結果に基づいて複数の推薦情報を表示する表示手段とを具備し、表示手段は、前記複数の説明情報に対する選択情報に基づいて、選択された説明情報に関連する推薦情報を表示することを特徴とするものである。
【００１６】
本発明の第８の態様の情報推薦システムは、第７の態様の表示手段が、前記複数の推薦情報に対する選択情報に基づいて、選択された推薦情報に関連する説明情報を表示することを特徴とするものである。
【００１７】
本発明の第９の態様の情報推薦システムは、第７の態様の取得手段が、前記説明情報を画像フレームとして取得し、前後の画像フレームで変化のある画像フレームを説明情報として取得することを特徴とするものである。
【発明の効果】
【００１８】
本発明の第１の態様によれば、説明全体（プレゼンテーション全体）の文脈に関連する推薦情報を利用者に表示するとともに、各推薦結果と説明（プレゼンテーション）の個別要素との関連性を表示することができるので、プレゼンテーション全体との関連度の低い情報の検索を減らすとともに、プレゼンテーションの中で利用者が興味のある情報へのアクセスを容易にすることができる。
【発明を実施するための最良の形態】
【００１９】
以下、本発明の最良の実施形態について図面を参照して説明する。
本発明の実施形態に係る情報推薦システムは、例えばプレゼンテーション用アプリケーションソフトウェア（以下、単にプレゼン用ソフトという。）で表示されているスライドの内容に関連する情報を自動的に検索し、利用者に表示するシステムである。
【００２０】
図１は、本発明の実施形態に係る情報推薦システムの構成例を示す図である。
本実施形態に係る情報推薦システムは、図１に示すように、会議情報記録装置１ａ、情報推薦装置１ｂ及び表示装置１ｃを含む。このうち、会議情報記録装置１ａ、および表示装置１ｃをクライアント、情報推薦装置１ｂをサーバとよぶ。
【００２１】
会議情報記録装置１ａは、会議で使用されるスライドなどの会議情報を取得して記録するスライド情報取得部１０を含む。会議情報記録装置１ａとしては、例えば特開２００６−１２７５１８号公報に開示されるメディアシステム等がある。
情報推薦装置１ｂは、スライド情報保持部１１、検索式生成部１２、推薦ドキュメント検索部１３、ドキュメントデータベース（ＤＢ）部１４及び関連度計算部１５ａを含む関連度保持部１５を含む。
表示装置１ｃはスライド関連情報表示部１６を含む。
【００２２】
図２は情報推薦システムのクライアントおよびサーバのハードウェア構成を示す図である。
情報推薦システムのクライアント１及びサーバ２は、入力装置４０（図１では表示せず）、表示装置４２（図１の表示装置１ｃに対応）、主記憶装置４４、外部記憶装置４６、中央処理装置（ＣＰＵ）４８、これらを接続するバス５０を含んでいる。
【００２３】
入力装置４０は、キーボード、マウス等の指示装置などのユーザインターフェースを提供する。
表示装置４２は、例えば、表示画面に情報を表示する場合、入力装置と共にＧＵＩ（グラフィックユーザインターフェース）を構成し、推薦のテキスト文を表示したり、処理結果等を表示したりする可視表示装置を含む。その他に、可聴表示するためのスピーカや、永久可視表示（例えばシートに印刷）するためのプリンタを含んでも良い。
【００２４】
主記憶装置４４は、ＲＯＭまたはＲＡＭを含み、情報推薦を制御するためのプログラムや演算結果等のデータを記憶する。
外部記憶装置４６は、例えばハードディスク等の大容量記憶装置を含み、ここに、ドキュメントＤＢ部１４、スライド情報保持部１１のスライド情報及び関連度保持部１５のリストなどを格納するようにしてもよい。尚、リストについては後述する。
ＣＰＵ（Central Processing Unit）４８は、主記憶装置４４に記憶されたプログラムに従い情報推薦動作を制御する。
【００２５】
会議情報記録装置１ａについては特に詳細図を示していないが、例えば、パーソナルコンピュータ（ＰＣ）に搭載されたプレゼン用ソフトを起動し、ＰＣの操作により当該プレゼン用ソフトによるスライドを切り替えてプレゼンテーション（説明）が進行する場合を想定する。
【００２６】
ＰＣにはプロジェクタが接続され、ＰＣの表示出力（例えばＲＧＢ出力）によってスクリーンにスライドが投影される。会議情報記録装置１ａは、この際、ＰＣの表示出力を取込んでスライドを記録するものである。スライドは静止画なので、スライドを連続して取り込む場合、前後のフレームで変化のあったものを記録することにより、効率の良い記録が可能となる。
【００２７】
取り込まれたスライド（イメージ）情報は光学式文字読取装置（ＯＣＲ）などにより、テキストなどのオブジェクト（情報の構成要素）が分離されると共に記録日時などのメタ情報やサムネイル画像が作成される。また、ＰＣの表示出力から取り込まずに、ＰＣ内にある元（オリジナル）のスライド情報を取り込むようにしてもよい。この場合、ＯＣＲ処理をすることなく、テキスト情報等が得られる。
【００２８】
会議における説明者がＰＣに搭載されたプレゼン用ソフトを操作すると、ＰＣを通じてプロジェクタなどにより表示されたスライドは、会議記録装置１ａのスライド情報取得部１０によってイメージ情報・テキスト情報が取得され、スライド情報保持部１１へ送られる。このときの１枚目及び２枚目のスライド情報例を図３に示す。スライド情報は、図３に示すように、例えばＨＴＭＬ形式で記述され、ファイル名、ファイルの格納アドレスを示すファイルＵＲＬ、ファイル作成日、タイムスタンプ、頁Ｎｏ、サムネイル画像の格納アドレスを示すサムネイルＵＲＬ及び表示内容に対応した本文の記述、即ちタイトル名、日付、発表者名等がなされている。
【００２９】
スライド情報保持部１１では、各スライドの情報（内容テキスト、サムネイル画像、表示日時、など）が保持される。
検索式生成部１２では、それまでにプレゼンテーションで表示されたスライドの内容テキストすべてに基づいて検索式を生成する。検索式の生成は、例えば、それまでに表示されたスライドの内容テキスト全てを形態素解析処理により単語に分割し、各単語の出現頻度を計算し、頻度の上位語やある一定数以上の頻度を持つ単語、また特定の品詞の単語を抽出し、キーワードとすることによって行う。また、あらかじめ指定された単語辞書に含まれている単語を抽出することも可能である。
【００３０】
推薦ドキュメント検索部１３では、検索式生成部１２で生成された検索式を用いてドキュメントデータベース（ＤＢ）部１４を検索し、推薦情報を特定する。その際、各推薦情報には検索式に対する関連度が計算され付与される。
関連度保持部１５の関連度計算部１５ａでは、推薦ドキュメント検索部１３で特定された推薦情報それぞれについて、スライド情報保持部１１が保持する各スライドとの関連度が計算され、関連度によってスライド情報との関連付けが付与される。
表示装置１ｃのスライド関連情報表示部１６では、スライド情報保持部１１が持つスライド情報と、関連度計算部１５ａにより関連付けが付与された推薦情報をスライド関連情報表示部１６の例えば表示画面上に表示する。
【００３１】
図４はスライド関連情報表示部１６におけるプレゼンテーションの表示スライドおよび推薦情報の表示例である。
本発明の第１の領域に相当する左側のフレームには、プレゼンテーションの進行にしたがって表示された、本発明の説明情報に相当する、スライドのサムネイル画像（以下、表示スライドという。）が表示順に並べられる。本発明の第２の領域に相当する右側のフレームには、現在までに表示されたスライド全体を元に、検索された関連情報（ドキュメント、スライド）のサムネイル画像が例えば左上から右下にかけて昇順に並べられる。
【００３２】
図５は表示スライドのひとつを選択したときの推薦情報の表示例である。
表示スライドの中から利用者が一又は複数の表示スライドを選択すると選択情報が生成され、図５に示すように、右側のフレームに表示されている関連情報のうち、選択された表示スライドによる選択情報と特に関連度の高いスライドが推薦情報として強調表示される。強調表示としては、推薦情報を点滅させたり、反転させたりしてもよい。
【００３３】
この場合の表示処理のフローチャートを図６示す。
情報推薦装置１ｂは、スライド関連情報表示部１６より選択された表示スライドの識別子Ｓｉ（ｉは自然数）を取得し、図５に示すように、表示スライドＳｉ（図５においてはＳ３）を強調表示する（ステップＳ１、Ｓ２）。そして、情報推薦装置１ｂは、推薦情報リストＬｒを得、これを参照して先頭要素を取得しＲとし、このＲとＳｉとの関連度がＣ（所定値）以上の推薦情報を強調表示した後、リストＬｒから先頭要素Ｒを削除する（ステップＳ３乃至Ｓ８）。
【００３４】
逆に、推薦情報のひとつを選択するようにしてもよい。
図７は推薦情報のひとつを選択したときの例である。
利用者が推薦情報のひとつを選択すると選択情報が生成され、図７に示すように、選択された推薦情報による選択情報と関連度の高い表示スライドが強調表示される。
【００３５】
この場合の表示処理のフローチャートを図８に示す。
情報推薦装置１ｂは、スライド関連情報表示部１１より選択された推薦情報の識別子Ｒｉを取得し、図７に示すように、推薦情報Ｒｉ（図７においてはＳ１及びＳ４）を強調表示する（ステップＳ１１、Ｓ１２）。そして、情報推薦装置１ｂは、表示スライドリストＬｓを得、これを参照して先頭要素を取得しＳとし、このＳとＲｉとの関連度がＣ（所定値）以上の推薦情報を強調表示した後、リストＬｓから先頭要素Ｓを削除する（ステップＳ１３乃至Ｓ１８）。
【００３６】
図９は、関連度計算部１５ａで計算された表示スライドと各推薦情報との関連度のリスト（表）を示す図である。
スライド関連情報表示部１６は、この表に示す関連度に基づいて表示スライドと推薦情報との関連付けを行う。例えば図９に示す例では、スライド全体の内容に基づいて検索された８つの推薦情報１〜８それぞれに対し各表示スライドとの関連度を計算し、その値が設定値（例えば関連度７０）以上の場合に関連度が高いと見て関連付けを行う。図９において、表示スライド「３．「特徴」」のうち関連度が７０以上の推薦情報は、２、３、４及び８であるため、この結果、図５に示すような推薦情報が得られる。
【００３７】
さらに、表示スライドが追加されたときの関連度更新処理のフローチャートを図１０に示す。
情報推薦装置１ｂは、スライド情報保持部１１より新規のスライド情報を受け取り、リストに追加する（ステップＳ２１、Ｓ２２）。各推薦情報の「全体」に対する関連度を「０」にし、推薦ドキュメント検索部１３より推薦情報を受け取り、リストに推薦情報のエントリを追加する（ステップＳ２３乃至Ｓ２６）。
【００３８】
情報推薦装置１ｂは、各推薦情報の「全体」及び各スライドとの関連度を計算して更新する（ステップＳ２７、Ｓ２８）。推薦情報が変わらない列は各スライドとの関連度はそのまま維持され、追加した新規のスライドとの関連度及び新規のスライドの関連度を含めた全体の関連度（例えば、各推薦情報に対応する各スライドの関連度の平均値）が計算され更新される。
【００３９】
また、表示スライドとの関連度計算は、ドキュメント単位ではなく、ドキュメントのページやプレゼンテーションのスライド単位で行うことも可能である。図１１および図１２にドキュメントのページ単位での関連付けを行った場合の表示例を示す。
【００４０】
以上、本発明の好ましい実施の形態について詳述したが、本発明に係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【産業上の利用可能性】
【００４１】
以上説明したように、本発明によれば、プレゼンテーション全体との関連度の低い情報の検索を減らすとともに、プレゼンテーションの中で利用者が興味のある情報へのアクセスを容易にすることができるため、産業上の利用可能性が高い。
【図面の簡単な説明】
【００４２】
【図１】本発明の実施形態に係る情報推薦システムの機能ブロック図である。
【図２】本発明の実施例に係る情報推薦システムのクライアントおよびサーバのハードウェアを示す図である。
【図３】スライド情報例を示す図である。
【図４】表示スライドおよび推薦情報の表示例を示す図である。
【図５】表示スライドを選択した時の表示例を示す図である。
【図６】表示スライドを選択した時の関連表示処理を示すフローチャートである。
【図７】推薦情報を選択した時の表示例を示す図である。
【図８】推薦情報を選択した時の関連表示処理を示すフローチャートである。
【図９】表示スライドと各推薦情報との関連度の表（リスト）を示す図である。
【図１０】スライドが追加されたときの関連度更新処理のフローチャートである。
【図１１】ドキュメントのページ単位での関連付けを行った場合の表示例を示す図である。
【図１２】表示スライドを選択した時のドキュメントのページ単位での関連表示例を示す図である。
【符号の説明】
【００４３】
１ａ：会議情報記録装置                １ｂ：情報推薦装置
１ｃ：表示装置
１０：スライド情報取得部              １１：スライド情報保持部
１２：検索式生成部                    １３：推薦ドキュメント検索部
１４：ドキュメントＤＢ部              １５：関連度保持部
１５ａ：関連度計算部                  １６：スライド関連情報表示部
４０：入力装置                        ４２：表示装置
４４：主記憶装置                      ４６：外部記憶装置
４８：ＣＰＵ                          ５０：バス
【図１】
2008269085.tif 000003
【図２】
2008269085.tif 000004
【図３】
2008269085.tif 000005
【図４】
2008269085.tif 000006
【図５】
2008269085.tif 000007
【図６】
2008269085.tif 000008
【図７】
2008269085.tif 000009
【図８】
2008269085.tif 000010
【図９】
2008269085.tif 000011
【図１０】
2008269085.tif 000012
【図１１】
2008269085.tif 000013
【図１２】
2008269085.tif 000014